(57)【要約】【課題】表示部の視認性を向上可能な電装箱及び給水装置を提供すること。【解決手段】電装箱１５は、ポンプ１２を駆動するモータ１２ａを制御する制御部２４と、制御部２４によるポンプ１２の駆動情報を視覚的に報知する表示体２１ｂ、及び、表示体２１ｂが配置され、且つ、直交する２方向に対して傾斜する表示面２１ａを有する表示部２１と、表示部２１が上端側に設けられ、制御部２４を収容する外郭体２０と、を備える。【選択図】      図１
2018003772.tif 000002
【特許請求の範囲】
【請求項１】
ポンプを駆動するモータを制御する制御部と、
前記制御部による前記ポンプの駆動情報を視覚的に報知する表示体、及び、前記表示体が配置され、且つ、直交する２方向に対して傾斜する表示面を有する表示部と、
前記表示部が上端側に設けられ、前記制御部を収容する外郭体と、
を備えることを特徴とする電装箱。
【請求項２】
前記２方向は、前記外郭体の上方から下方に向かう第１方向、及び、前記第１方向と直交する第２方向であり、
前記表示面は、前記第１方向及び前記第２方向に対して傾斜するとともに、前記外郭体の前記モータと対向する側とは相対する側に設けられることを特徴とする請求項１に記載の電装箱。
【請求項３】
ベースと、
前記ベース上に配置されたポンプと、
前記ポンプを駆動するモータと、
前記モータを制御する制御部、前記制御部による前記ポンプの駆動情報を視覚的に報知する表示体及び前記表示体が配置され、且つ、直交する２方向に対して傾斜する表示面を有する表示部、並びに、前記表示部が上端側に設けられ、前記制御部を収容する外郭体を具備する電装箱と、
を備えることを特徴とする給水装置。
【請求項４】
前記２方向は、前記外郭体の上方から下方に向かう第１方向、及び、前記第１方向と直交する第２方向であり、
前記表示面は、前記第１方向及び前記第２方向に対して傾斜するとともに、前記外郭体の前記モータと対向する側とは相対する側に設けられることを特徴とする請求項３に記載の給水装置。
【請求項５】
前記電装箱は、前記ベースの隅部に、側面が前記ベースの外縁に沿って配置されることを特徴とする請求項３に記載の給水装置。
【発明の詳細な説明】
【技術分野】
【０００１】
本発明は、ポンプを制御する電装箱及び給水装置に関する。
【背景技術】
【０００２】
現在、水を供給する給水装置として、ポンプ、モータ、検出装置及び電装箱等がベース上に一体に設けられた給水装置が知られている（例えば、特許文献１参照）。このような給水装置は、電装箱に赤又は緑の単色のＬＥＤを有し、モータの駆動状態をＬＥＤによって外部に報知する表示部を電装箱に備える。給水装置は、表示部のＬＥＤを点灯、点滅又は消灯することによってポンプの運転状態等を報知する。
【０００３】
このような表示部は、給水装置外から視認可能なように、ベースの外縁側に位置する電装箱の側面に設けられる。
【先行技術文献】
【特許文献】
【０００４】
【特許文献１】特開２００９-２７０４６２号公報
【発明の概要】
【発明が解決しようとする課題】
【０００５】
上述した給水装置では、以下の問題があった。即ち、図３（設置例１）に示すように、給水装置１０１を建造物１００に接近させて設置した場合に、電装箱１１５が建造物１００に近接し、表示部が建造物１００に隣接することになり、電装箱１１５に設けられた表示部が視認できない虞がある。
【０００６】
このため、図３（設置例２）に示すように、給水装置１０１を、表示部が建造物１００と相対する側に配置するように、給水装置１０１を設置することも考えられる。しかし、このように給水装置１０１を設置すると、給水装置１０１に接続される給水管２０１及び吐出管２０２の取り回しが必要となる。結果、設置例２においては、設置例１よりも給水管２０１及び吐出管２０２の管路長を要し、また、給水管２０１及び吐出管２０２の流路をベントする必要があることから、流路抵抗が増加する虞もある。
【０００７】
そこで、本発明は、表示部の視認性を向上可能な電装箱及び給水装置を提供することを目的としている。
【課題を解決するための手段】
【０００８】
前記課題を解決し目的を達成するために、本発明の電装箱及び給水装置は次のように構成されている。
【０００９】
本発明の一態様として、電装箱は、ポンプを駆動するモータを制御する制御部と、前記制御部による前記ポンプの駆動情報を視覚的に報知する表示体、及び、前記表示体が配置され、且つ、直交する２方向に対して傾斜する表示面を有する表示部と、前記表示部が上端側に設けられ、前記制御部を収容する外郭体と、を備える。
【００１０】
本発明の一態様として、給水装置は、ベースと、前記ベース上に配置されたポンプと、前記ポンプを駆動するモータと、前記モータを制御する制御部、前記制御部による前記ポンプの駆動情報を視覚的に報知する表示体及び前記表示体が配置され、且つ、直交する２方向に対して傾斜する表示面を有する表示部、並びに、前記表示部が上端側に設けられ、前記制御部を収容する外郭体を具備する電装箱と、を備える。
【発明の効果】
【００１１】
本発明によれば、表示部の視認性を向上可能な電装箱及び給水装置を提供することが可能となる。
【図面の簡単な説明】
【００１２】
【図１】本発明の一実施形態に係る給水装置の構成を示す斜視図。
【図２】同給水装置の設置の一例を示す説明図。
【図３】従来の技術に係る給水装置の設置の例を示す説明図。
【発明を実施するための形態】
【００１３】
以下、本発明の一実施形態に係る給水装置１を、図１及び図２を用いて説明する。  
図１は本発明の一実施形態に係る給水装置１の構成を示す斜視図、図２は給水装置１を建造物１００に近接させて設置する一例を示す説明図である。
【００１４】
図１及び図２に示すように、給水装置１は、ベース１０と、ベース１０に設けられた流路部１１と、流路部１１の中途部に設けられたポンプ１２と、流路部１１の中途部に設けられたアキュムレータ１３と、流路部１１上に設けられた検出装置１４と、ポンプ１２の制御を行なう電装箱１５と、を備えている。また、給水装置１は、ベース１０を覆うカバー１６を備えている。
【００１５】
このような給水装置１は、ベース１０上に流路部１１、ポンプ１２、アキュムレータ１３、検出装置１４及び電装箱１５が設けられ、カバー１６によりベース１０上が覆われることで、ベース１０上に配置された各構成品がベース１０及びカバー１６によって構成される空間内に収容される。
【００１６】
給水装置１は、電装箱１５によりポンプ１２が制御されることで、供給対象の流体である水を二次側に供給（給水）可能に構成される。
【００１７】
流路部１１は、ベース１０上に設けられ、その一次側が給水源に接続されるとともに、その二次側が給水先に接続される配管部である。流路部１１は、例えば、その中途部に、自給用の自吸室を有する。流路部１１は、一次側に給水管２０１が、二次側に吐出管２０２が接続される。
【００１８】
ポンプ１２は、例えばカスケードポンプである。ポンプ１２は、流路部１１の中途部であって、自吸室の一次側に配置される。ポンプ１２は、電装箱１５に信号線を介して接続されたモータ１２ａを備えている。ポンプ１２は、電装箱１５により制御されてモータ１２ａが駆動することで、流路部１１内の水を揚水可能に形成されている。アキュムレータ１３は、流路部１１であって、且つ、ポンプ１２の二次側に設けられる。アキュムレータ１３は、例えば、流路部１１の中途部であって、自吸室の二次側に配置される。
【００１９】
検出装置１４は、流路部１１であって、且つ、ポンプ１２の二次側に設けられる。検出装置１４は、ポンプ１２から吐出された水の圧力、流量又は温度等を検出可能に構成されている。検出装置１４は、信号線を介して電装箱１５に接続される。検出装置１４は、検出した情報を、信号線を介して電装箱１５に送信可能に構成されている。
【００２０】
電装箱１５は、外郭体２０と、表示部２１と、記憶部２２と、通信インターフェイス（通信Ｉ／Ｆ）２３と、制御部２４と、を備えている。また、電装箱１５は、外部電力を供給するための電源部２５を備えている。
【００２１】
外郭体２０は、電装箱１５の外郭を構成するケースである。外郭体２０は、一方向の面が他方向の面よりも幅が小さく、且つ、上面が後端側から前端に向かって傾斜する。外郭体２０は、ベース１０上に配置される。具体的には、外郭体２０は、ベース１０上に設置した状態で、高さ方向に長く、且つ、水平方向で一方向が他方向よりも短く構成され、上面が傾斜して構成された縦長の箱状に構成される。外郭体２０は、ベース１０上面の隅部に、当該水平方向で長い側の主面がベース１０の縁部に沿って配置される。外郭体２０は、ベース１０上に配置されたモータ１２ａ及び流路部１１と、当該水平方向で長い側の主面の一方が対向し、且つ、他方がベース１０の外縁側に位置して配置される。
【００２２】
外郭体２０は、当該水平方向で長い側の主面がベース１０の縁部に沿った姿勢で、傾斜することで外郭体２０の高さが低い先端側がベース１０の隅部に配置されるとともに、外郭体２０の高さが高い後端側がベース１０の縁部の中央側に配置される。
【００２３】
外郭体２０は、記憶部２２及び制御部２４を内部に収容する。また、外郭体２０は、表示部２１をその外面の上部に有し、且つ、通信Ｉ／Ｆ２３の一部を外部に露出させる。
【００２４】
表示部２１は、外郭体２０の外面の一部を構成する。表示部２１は、外郭体２０の一部に一体に設けられた表示面２１ａと、電源のＯＮ／ＯＦＦ、ポンプ１２の駆動状況及び故障状況等を光により報知する複数の表示体２１ｂと、を有する。
【００２５】
表示部２１は、表示面２１ａの一部から複数の表示体２１ｂを外部に露出させることで構成される。表示部２１は、外郭体２０の傾斜する上面及び水平方向で長い側の主面に渡って設けられる。
【００２６】
表示面２１ａは、直交する２方向に対して傾斜して構成される。具体的には、表示面２１ａは、ベース１０に設置された状態で外郭体２０の上下方向である第１方向、及び、第１方向と直交する方向であって、且つ、ベース１０の主面に対して傾斜する第２方向に対して傾斜する。より具体的には、表示面２１ａは、外郭体２０の上面の一部が、電装箱１５の後端側から前端側へ下方に傾斜するとともに、ベース１０の外縁側に位置する水平方向で長い側の主面に向かって下方に傾斜する。
【００２７】
表示体２１ｂは、例えば、単色又は多色表示が可能なＬＥＤにより構成される。本実施形態においては、表示体２１ｂは、多色、例えば緑色、水色、黄色、赤色、紫色に発光可能なＬＥＤを用いる例を説明する。表示体２１ｂは、色、点灯、点滅及び消灯等によって、情報を報知可能に形成されている。
【００２８】
記憶部２２は、ポンプ１２の駆動プログラム、ポンプ１２の運転状況や各種異常状況であるポンプ状況を判断する閾値が複数記憶されている。記憶部２２は、表示体２１ｂの各色の発光に対応したポンプ状況が記憶されている。記憶部２２は、ポンプ状況、即ち、駆動したポンプ１２の運転状況や発生した各構成品の故障及び異常等の異常状況を記憶可能に構成されている。
【００２９】
記憶部２２は、表示体２１ｂの発光条件に対して、ポンプ状況を割り当てた情報が記憶されている。例えば、記憶部２２には、表示体２１ｂがポンプ１２の故障時に緑色に点灯、モータ１２ａの故障時に赤色に点灯、検出装置１４の故障に水色に点灯、電源異常時に黄色に点灯、電装箱１５の故障時に紫色に点灯等といった表示体２１ｂの発光情報が記憶されている。
【００３０】
通信Ｉ／Ｆ２３は、通信ケーブル等を介して外部の情報処理装置に接続可能に形成されている。
【００３１】
制御部２４は、検出装置１４で検出した圧力、流量及び温度に基づいて、記憶部２２に記憶された駆動プログラムによりポンプ１２を駆動可能に形成されている。
【００３２】
制御部２４は、記憶部２２に記憶された各閾値と検出装置１４で検出された各種情報、電装箱１５内の電流及び電圧値とを比較することで、各構成品の異常状況を判断する機能を有している。制御部２４は、判断した各異常状況及び現在のポンプ１２の駆動状況であるポンプ状況に応じて、表示体２１ｂを記憶部２２に記憶された色で発光させる機能を有している。
【００３３】
また、制御部２４は、各異常状況及び過去のポンプ１２の駆動状況等の情報を、通信Ｉ／Ｆ２３に接続された情報処理装置に送信可能に構成される。
【００３４】
このように構成された給水装置１によれば、表示部２１が直交する２方向に対して傾斜することで、表示体２１ｂを表示できる範囲を向上させることが可能となる。即ち、表示部２１は、２方向に傾斜することから、電装箱１５の正面側、側面側及び上面側の３方向から表示面２１ａを視認することが可能となる。結果、作業者は、電装箱１５の表示面２１ａに設けられた表示体２１ｂの報知情報を確実に視認することが可能となる。
【００３５】
また、電装箱１５の表示体２１ｂの報知情報の視認性を向上させることで、給水装置１の配置の自由度を向上させることが可能となる。具体的に説明すると、図２に示すように、給水装置１を建造物１００に隣接させるとともに、電装箱１５の主面を建造物１００に対向させて配置した場合であっても、表示体２１ｂは、ベース１０の上方又は正面側から視認することが可能となる。これにより、従来の給水装置１０１の設置の一例である図３（設置例２）に示すように給水管２０１及び吐出管２０２の管路をベントする取り回しを要することなく、直線状に給水管２０１及び吐出管２０２と接続し、建造物１００に隣接して給水装置１を設置することが可能となる。
【００３６】
上述したように本発明の一実施形態に係る給水装置１によれば、表示体２１ｂを配置する表示面２１ａを２方向に対して傾斜させることで、表示体２１ｂを３方向から視認可能となり、表示部２１の視認性を向上することが可能となる。
【００３７】
なお、本発明は前記実施形態に限定されるものではない。例えば、上述した例では、給水装置１は、カバー１６を備える構成を説明したがこれに限定されず、カバー１６を有さない構成であってもよい。また、表示体２１ｂは、ＬＥＤである構成を説明したが、これに限定されず、視覚によって報知情報を確認する表示体であれば、例えば、文字等を表示できるディスプレイ等に適宜設定可能である。この他、本発明の要旨を逸脱しない範囲で種々変形実施可能である。
【符号の説明】
【００３８】
１…給水装置、１０…ベース、１１…流路部、１２…ポンプ、１２ａ…モータ、１３…アキュムレータ、１４…検出装置、１５…電装箱、１６…カバー、２１…表示部、２１ａ…表示面、２１ｂ…表示体、２２…記憶部、２３…通信インターフェイス、２４…制御部、２５…電源部。
【図１】
2018003772.tif 000003
【図２】
2018003772.tif 000004
【図３】
2018003772.tif 000005